(57)【要約】      （修正有）【課題】加湿装置に関するもので、運転開始時および運転中の臭気発生を抑制する。【解決手段】除菌物質を発する除菌手段１５を設けるとともに、送風ファン１２と除菌手段１５を駆動する制御部１６とを備え、制御部１６は、加湿運転停止移行時に、加湿運転時間が所定の時間を越えたことを判別する運転時間判定手段と、運転時間が所定の時間を越えたときに加湿体９に前記除菌物質を通過させる除菌運転手段を備えた構成として、除菌運転により臭気の発生を抑制する。【選択図】図２
2015121390.tif 000002
【特許請求の範囲】
【請求項１】
空気を内部に吸い込む吸気口と、前記吸い込んだ空気を外部に排出する排気口を有する本体ケースと、本体ケース内に設けられた加湿体と、加湿体に水を供給する水供給手段と、前記吸い込んだ空気を、前記加湿体に接触させた後に、前記排気口から本体ケース外に排出する送風ファンと、前記加湿体から前記排気口までの送風通路に、除菌物質を発する除菌手段を設けるとともに、送風ファンと前記除菌手段を駆動する制御部とを備え、前記制御部は、加湿運転停止移行時に、加湿運転時間が所定の時間を越えたことを判別する運転時間判定手段と、運転時間が所定の時間を越えたときに加湿体に前記除菌物質を通過させる除菌運転手段を備えた構成とした加湿装置。
【請求項２】
送風ファンとして正逆回転可能な斜流ファンを備え、除菌運転手段は、運転時間が所定の時間を越えたときに、除菌手段を駆動するとともに、送風ファンを逆回転させて、排気口から加湿体、吸気口へと空気を流すことを特徴とした請求項１記載の加湿装置。
【請求項３】
吸気口にはフィルタを備えた枠体と、この枠体の上部から表側と裏側に交互に水平方向の表側スリットと裏側スリットを形成するように、前記表側スリットと前記裏側スリットの端部を繋ぐ遮蔽板を備え、同じ面側のスリットの間隔は、スリットの幅に比べて大きくし、隣り合った表側スリット間に前記フィルタを配置したことを特徴とする請求項１記載の加湿装置。
【請求項４】
吸気口には、表側にフィルタを備え、上部を水平方向に回転軸で軸支し、本体ケースから外側に回動するようにした枠体と、この枠体の裏側には上部から所定の間隔をあけて水平方向の裏側スリットを形成するように、隣り合った前記裏側スリットから互いに前記枠体の表側へ向けて延設し、先端部を閉塞した遮蔽板を備えたことを特徴とする請求項１記載の加湿装置。
【発明の詳細な説明】
【技術分野】
【０００１】
本発明は、加湿体から水分を蒸発させて加湿を行う加湿装置に関するものである。
【背景技術】
【０００２】
従来のこの種、加湿装置の構成は、以下のようになっていた。
【０００３】
すなわち、吸気口、排気口を有する本体ケースと、この本体ケース内に設けられた加湿体と、この加湿体に水を供給する水供給手段と、前記吸気口から本体ケース内に吸い込んだ空気を、前記加湿体に接触させた後に、排気口から本体ケース外に排出する送風ファンと、この送風ファンに接続された制御部とを備えた構成となっていた。
【０００４】
また、加湿体に供給される水に菌が繁殖するのを防止するために、加湿時には、放電処理部で発生させた活性種を水面側へ供給するものもある（例えば特許文献１を参照）。
【先行技術文献】
【特許文献】
【０００５】
【特許文献１】特開２００９−１４８３０５号公報
【発明の概要】
【発明が解決しようとする課題】
【０００６】
上記従来例では、加湿運転時には、放電処理部で発生させた活性種を水面側へ供給しているので、菌の発生を抑制することは期待できる。
【０００７】
しかしながら、長らく加湿運転を行っている状態では、徐々に、加湿体等に菌が繁殖してこれに起因する臭気を直ちに消し去ることはできず、この結果として、特に運転開始時に臭気が問題となることがある。
【０００８】
そこで、本発明は、運転開始時および運転中の臭気を抑制することを目的とするものである。
【課題を解決するための手段】
【０００９】
そして、この目的を達成するために、本発明は、空気を内部に吸い込む吸気口と、前記吸い込んだ空気を外部に排出する排気口を有する本体ケースと、前記本体ケース内に設けられた加湿体と、前記加湿体に水を供給する水供給手段と、前記吸い込んだ空気を、前記加湿体に接触させた後に、前記排気口から本体ケース外に排出する送風ファンと、前記加湿体から前記排気口までの送風通路に、除菌物質を発する除菌手段を設けるとともに、前記送風ファンと前記除菌手段を駆動する制御部とを備え、前記制御部は、加湿運転停止移行時に、加湿運転時間が所定の時間を越えたことを判別する運転時間判定手段と、運転時間が所定の時間を越えたときに加湿体に前記除菌物質を通過させる除菌運転手段を備えた構成とした加湿装置であり、これにより初期の目的を達成するものである。
【発明の効果】
【００１０】
以上のように本発明は、空気を内部に吸い込む吸気口と、前記吸い込んだ空気を外部に排出する排気口を有する本体ケースと、前記本体ケース内に設けられた加湿体と、前記加湿体に水を供給する水供給手段と、前記吸い込んだ空気を、前記加湿体に接触させた後に、前記排気口から本体ケース外に排出する送風ファンと、前記加湿体から前記排気口までの送風通路に、除菌物質を発する除菌手段を設けるとともに、前記送風ファンと前記除菌手段を駆動する制御部とを備え、前記制御部は、加湿運転停止移行時に、加湿運転時間が所定の時間を越えたことを判別する運転時間判定手段と、運転時間が所定の時間を越えたときに加湿体に前記除菌物質を通過させる除菌運転手段を備えた構成としたので、加湿体に前記除菌物質を通過させることで運転開始時および運転中の臭気発生を抑制することができる。
【図面の簡単な説明】
【００１１】
【図１】本発明の実施の形態１の加湿装置の斜視図
【図２】同断面図
【図３】同制御ブロック図
【図４】同動作フローチャート
【図５】同断面図
【図６】本発明の実施の形態２の枠体の構成を示す図
【図７】同枠体の動作説明の図
【図８】本発明の実施の形態３の枠体の動作説明の図
【発明を実施するための形態】
【００１２】
本発明の請求項１記載の加湿装置は、空気を内部に吸い込む吸気口と、前記吸い込んだ空気を外部に排出する排気口を有する本体ケースと、前記本体ケース内に設けられた加湿体と、前記加湿体に水を供給する水供給手段と、前記吸い込んだ空気を、前記加湿体に接触させた後に、前記排気口から本体ケース外に排出する送風ファンと、前記加湿体から前記排気口までの送風通路に、除菌物質を発する除菌手段を設けるとともに、前記送風ファンと前記除菌手段を駆動する制御部とを備え、前記制御部は、加湿運転停止移行時に、加湿運転時間が所定の時間を越えたことを判別する運転時間判定手段と、運転時間が所定の時間を越えたときに加湿体に前記除菌物質を通過させる除菌運転手段を備えた構成を有する。
【００１３】
これにより、加湿運転を停止させたときに、運転時間判定手段が、加湿運転の時間が所定に時間を越えたことを判別すると除菌運転手段が加湿体へ除菌物質を通過させることとなるので、菌の繁殖を抑制して、次回運転開始時および運転中の臭気を抑制することができる。
【００１４】
また、請求項２記載の加湿装置は、送風ファンとして正逆回転可能な斜流ファンを備え、除菌運転手段は、運転時間が所定の時間を越えたときに、除菌手段を駆動するとともに、送風ファンを逆回転させて、排気口から加湿体、吸気口へと空気を流す構成を有する。
【００１５】
これにより、除菌運転手段は、運転時間が所定の時間を越えたときに、除菌手段を駆動するとともに、送風ファンを逆回転させて、排気口から加湿体、吸気口へと空気を流すこととなるので、除菌物質が加湿体を通過することとなり、菌の繁殖を抑制して、次回運転開始時および運転中の臭気を抑制することができる。
【００１６】
また、請求項３記載の加湿装置は、吸気口にはフィルタを備えた枠体と、この枠体の上部から表側と裏側に交互に水平方向の表側スリットと裏側スリットを形成するように、前記表側スリットと前記裏側スリットの端部を繋ぐ遮蔽板を備え、同じ面側のスリットの間隔は、スリットの高さに比べて大きくし、隣り合った表側スリット間に前記フィルタを配置した構成を有する。
【００１７】
これにより、加湿体から吸気口に向けて空気を流したときに、遮蔽板の作用によって、表側のスリットへ空気は集められて、本体ケースの外側へ空気を流すことができる。つまり、送風ファンを逆回転させて、排気口から加湿体、吸気口へと空気を流したときに、フィルタに捕集した塵埃を吹き飛ばすことなく、吸気口から本体ケースの外側へ空気を流すことが容易になるので、除菌物質が加湿体を通過して、菌の繁殖を抑制して、次回運転開始時および運転中の臭気を抑制することができる。
【００１８】
また、請求項４記載の加湿装置は、吸気口には、表側にフィルタを備え、上部を水平方向に回転軸で軸支し、本体ケースから外側に回動するようにした枠体と、この枠体の裏側には上部から所定の間隔をあけて水平方向の裏側スリットを形成するように、隣り合った前記裏側スリットから互いに前記枠体の表側で向けて延設し、先端部を閉塞した遮蔽板を備えた構成を有する。
【００１９】
これにより、加湿体から吸気口に向けて空気を流したときに、遮蔽板が空気の枠体の裏側から表側へ空気は集中して受けることで、フィルタ枠を押し出す力が働くこととなる。つまり、枠体は、回転軸を中心に回動することとなり、枠体と本体ケースの間に隙間ができて、内部の空気を本体ケースの外側へ排出することが容易になるので、除菌物質が加湿体を通過して、菌の繁殖を抑制して、次回運転開始時および運転中の臭気を抑制することができる。
【００２０】
以下、本発明の実施の形態について図面を参照しながら説明する。
【００２１】
（実施の形態１）
図１において、加湿装置１は、箱型の本体ケース２を有し、左側面と背面側には、図２に示す吸気口３、上面には、排気口４、操作部５、表示部６、水タンク７（水供給手段の一例）の装着口８が設けられている。
【００２２】
また、本体ケース２内には、図２のごとく、加湿体９が設けられている。
【００２３】
この加湿体９は、下部が、水皿１０内に配置され、上部は上方へと立ち上げられた構成となっている。
【００２４】
つまり、水タンク７内の水が、水皿１０内に定水位で供給され、その水を多孔性状態の加湿体９が上方へと吸い上げる構成となっている。
【００２５】
また、水皿１０内には、渇水を検出する水位センサ１１が備えられている。
【００２６】
また、本体ケース２内において、加湿体９と排気口４間には、直流駆動の送風ファン１２を設けている。
【００２７】
この送風ファン１２は、例えば、外周に風洞１３を有する斜流ファンである。
【００２８】
本体ケース２内には、通常の加湿運転では、図２のごとく、吸気口３から本体ケース２内に吸い込んだ空気を、多孔性状態の加湿体９を通過させ、その後、送風ファン１２を経て排気口４へと送風し、これによって、加湿を行うように送風通路１４が形成されている。
【００２９】
さらに送風通路１４のうち加湿体９から排気口４までの通路には、加湿体９を通過した空気に除菌物質を含ませて排気口４から吐出させる除菌手段１５を設けている。
【００３０】
また、本体ケース２内には送風ファン１２と除菌手段１５を駆動する制御部１６を備えている。図３に示すように、制御部１６には、操作部５、水位センサ１１が入力として接続されていて、表示部６、除菌手段１５、送風ファン１２が出力として接続されている。
【００３１】
また、図４のフローチャートに示すように、制御部１６の運転動作には、従来のように加湿を行う第一の運転モード１７と、所定時間ごとに加湿体９の除菌を行なう第二の運転モード１８（清潔モード）を備えている。
【００３２】
第二の運転モード１８は、加湿体９を通過させた空気に除菌手段１５を作用させて除菌物質を含ませて加湿運転を行うものである。
【００３３】
また、第二の運転モード１８は、加湿運転を停止に移行させるときに加湿運転時間が所定の時間を越えた場合に、除菌手段１５を作用させて加湿体９に除菌物質を通過させるものである。
【００３４】
特に、第二の運転モード１８を実現するために、本実施の形態では、前記送風ファン１２は正逆回転可能とし、この送風ファン１２と除菌物質を発する除菌手段１５を駆動する制御部１６を備えている。さらに、制御部１６には、図４に示すように、加湿装置１が加湿運転停止へ移行する時に、それまでに累積の加湿運転時間が所定の時間を越えたことを判別する運転時間判定手段２０と、運転時間が所定の時間を越えたことを判別したときに加湿体９に前記除菌物質を通過させる除菌運転手段２１を備えたものである。
【００３５】
上記構成において、操作部５で加湿運転を開始すると、図４に示すように、制御部１６は、運転モードを確認する。
【００３６】
まず、清潔モードボタン（図示せず）が押されていない場合、すなわち第一の運転モード１７である場合には、送風ファン１２を正転運転し、次に停止操作がされるまで運転を継続することとなる。
【００３７】
つまり、送風ファン１２が正転運転をすると、吸気口３から本体ケース２内に吸い込んだ空気を、多孔性状態の加湿体９を通過させる。このときに、この加湿体９が吸い上げた水を一部蒸発させ、その後、送風ファン１２を経て排気口４へと送風し、これによって、加湿を行うこととなる。
【００３８】
さらに、送風通路１４の内加湿体９から排気口４までの通路において除菌手段１５は、加湿体９を通過した空気に除菌物質を含ませることとなるので、排気口４から吐出させる加湿空気に除菌物質を含有させて、室内の空気環境を改善することができる。
【００３９】
図４に示すように、第一の運転モード１７では、加湿運転時間を積算タイマー１９でカウントしながら、また、水位センサ１１で、水皿１０内の水が渇水になっていないことを確認しながら加湿を行なうものである。
【００４０】
すなわち、加湿運転時間を計測しながら、運転をおこなうことと、渇水になると、表示部６に水切れであることを表示して、運転を停止することを行なうこととなる。
【００４１】
つまり、加湿性能が十分に得られない渇水状態で運転の継続をすることを防止することができる。
【００４２】
次に、清潔モードボタンが押された場合、すなわち第二の運転モード１８である場合には、送風ファン１２を正転運転し、次に停止操作または運転タイマーによる運時間が満了になるまで運転を継続することとなる。
【００４３】
つまり、第一の運転モード１７と同様に、送風ファン１２が正転運転をすると、吸気口３から本体ケース２内に吸い込んだ空気を、多孔性状態の加湿体９を通過させる。このときに、この加湿体９が吸い上げた水を一部蒸発させ、その後、送風ファン１２を経て排気口４へと送風し、これによって、加湿を行うこととなる。
【００４４】
さらに、送風通路１４の内加湿体９から排気口４までの通路において除菌手段１５は、加湿体９を通過した空気に除菌物質を含ませることとなるので、排気口４から吐出させる加湿空気に除菌物質を含有させて、室内の空気環境を改善することもできる。
【００４５】
図４に示すように、第二の運転モード１８では、運転時間を積算タイマー１９でカウントしながら、また、水位センサ１１で、水皿１０内の水が渇水になっていないことを確認しながら加湿を行なうものである。
【００４６】
そして、例えば、運転タイマーによる運転時間が満了になると、運転停止に移行する前に、運転時間判定手段２０が、累積の加湿運転時間（ｔ）が所定の時間（例えば８時間）を越えたことを判別することになる。所定の時間を越えていなければ、そのまま運転を停止する。
【００４７】
所定の時間を越えた場合には、除菌運転手段２１は、加湿体９に前記除菌物質を通過させるように送風ファン１２を制御することとなる。
【００４８】
すなわち、除菌運転手段２１は、除菌手段１５を駆動したまま送風ファン１２を逆回転で駆動することとなる。図５に示すように、送風ファン１２が逆回転をすると斜流ファンは空気を逆の方向に流すこととなり、排気口４から本体ケース２内に空気が吸い込まれ、送風通路１４を逆方向に流れ、送風ファン１２を通過した空気には除菌手段１５によって、除菌物質が含まれ、加湿体９を通過させて、吸気口３から排出することとなる。
【００４９】
このとき、除菌物質を加湿体９へ通過させることで加湿体９の内側および裏、表の両側にまでも接触させることができるので、高い除菌効果が得られる。
【００５０】
ここで、送風ファン１２の風量は、正転時よりも少なくすることが好ましい。風量を少なくすることによって、加湿体９に除菌物質をより多く含ませることができる。
【００５１】
また、送風ファン１２の風量を少なくして送風することで、吸気口３から吹き出す空気によって、室内の湿度を維持するようにすることもできる。
【００５２】
このように除菌物質を加湿体９へ通過させることは、図４に示すように間欠的に行なうものでよい。
【００５３】
すなわち、本実施の形態のように、除菌物質を加湿体９へ通過することを２時間行なった後、４時間休止することを３回行なうものである。このようにすると、例えば、生活者の一日の活動に合わせて、加湿運転を１日８時間行ったのち、不在または就寝時に除菌物質を加湿体９へ通過させて加湿体９の除菌を行なうことができる。
【００５４】
除菌物質としては、たとえば上記先行文献と同じ活性種を加湿体９へと供給して、これにより、加湿体９での除菌が行われることになる。
【００５５】
その結果、加湿装置１の運転開始時または運転中に発生する臭気の抑制をすることができる。
【００５６】
本実施の形態では、第一の運転モード１７においても運転時間を積算タイマー１９でカウントしているので、第一の運転モード１７から第二の運転モード１８へ切り替えた場合にも加湿装置１の運転時間は累積され、適正なタイミングで、加湿体９の除菌を行なうことができる。
【００５７】
以上のように、制御部１６は、加湿運転停止移行時に、加湿運転時間が所定の時間を越えたことを判別する運転時間判定手段２０と、運転時間が所定の時間を越えたときに加湿体９に前記除菌物質を通過させる除菌運転手段２１を備えたので、加湿運転を停止させたときに、運転時間判定手段２０が、加湿運転時間が所定の時間を越えたことを判別すると除菌運転手段２１が除菌物質を加湿体９へ通過させることとなり、菌の繁殖を抑制して、次回運転開始時および運転中の臭気を抑制することができる。
【００５８】
また、加湿装置１は、送風ファン１２として正逆回転可能な斜流ファンを備え、除菌運転手段２１は、加湿運転時間が所定の時間を越えたときに、除菌手段１５を駆動するとともに、送風ファン１２を逆回転させて、排気口４から加湿体９、吸気口３へと空気を流す構成としたので、除菌運転手段２１は、加湿運転時間が所定の時間を越えたときに、除菌手段１５を駆動するとともに、送風ファン１２を逆回転させて、除菌物質を加湿体９へ通過させることができ、菌の繁殖を抑制して、次回運転開始時および運転中の臭気を抑制することができる。
【００５９】
また、送風通路１４のうち加湿体９から排気口４までの通路に除菌手段１５を備えたので、加湿体９を通過した空気に除菌物質を含ませて排気口４から吐出させることもでき、また、送風ファン１２を逆回転させれば、加湿体９へ除菌物質を通過させることもできるので、一つの除菌手段１５で二つの使い方ができる。除菌手段１５の利用頻度を上げることができる。すなわち、除菌手段１５を有効に使うことができる。
【００６０】
（実施の形態２）
以上実施の形態１のように、本願の発明の基本部分について、説明をした。
【００６１】
実施の形態２では、加湿装置１の吸気口３には粉塵を除去するフィルタ２２を設けたものである。なお、理解を容易にするために、実施の形態１と同部分については、同一符号を付しその詳細な説明は省略する。
【００６２】
実施の形態１で説明したように、吸気口３は、加湿運転の時には本体ケース２内に空気を吸い込むものであるが、除菌物質を加湿体へ通過させる場合には、本体ケース２から空気を吹き出すことになる。すなわち、吸気口３にフィルタ２２を設けた場合には、空気の通り道を分離する必要がある。
【００６３】
そこで図６に示すように、フィルタ２２を備えた枠体２３は、上部から表側と裏側に交互に水平方向に長いスリット２４として表側スリット２５と裏側スリット２６を形成するように、表側スリット２５と裏側スリット２６の端部２９を繋ぐ遮蔽板２７を備えたものである。なお、表側スリット２５と裏側スリット２６というのは、枠体２３に厚みを設け、その表側と裏側のそれぞれの表面を示すものである。
【００６４】
さらに、表側スリット２５の間隔は、同表側スリット２５の高さに比べて大きくし、少なくとも隣り合った表側スリット２５間にフィルタ２２を配置している（表側スリット２５の外側にフィルタ２２を配置してもよい）。同様に、裏側スリット２６の間隔は、同裏側スリット２６の高さに比べて大きくしている。
【００６５】
このようにすることで、枠体２３の厚み部分では、遮蔽板２７によって空気が流れるこむ上流側は流路が開いていて下流側は流路を絞ることになる。すなわち、表側スリット２５は、本体ケース２の内側から外側に向かって、先細りの形状となっているので、本体ケース２内の空気を集めて吹き出しやすく、本体ケース２外から本体ケース２内に空気を入れにくい。同様に裏側スリット２６は、本体ケース２内に空気を入れやすく、本体ケース２内から空気を吹き出しにくい。つまり、枠体２３の厚み部分では空気の流れ方向に応じて空気の通り道を分離することができる。これにより、除菌物質を加湿体９へ通過させる場合にフィルタ２２が捕集した粉塵を噴出させてしまうことを防止することができる。
【００６６】
つまり、送風ファン１２を逆回転させて、排気口４から加湿体９、吸気口３へと空気を流したときに、フィルタ２２に捕集した塵埃を吹き飛ばすことなく、吸気口３から本体ケース２の外側へ空気を流すことが容易になるので、除菌物質が加湿体９を通過して、菌の繁殖を抑制して、次回運転開始時および運転中の臭気を抑制することができる。
【００６７】
（実施の形態３）
本実施の形態は、実施の形態２の別の実施の形態を説明する。
【００６８】
実施の形態２では、フィルタ２２を備えた枠体２３は、上部から表側と裏側に交互に水平方向に長いスリット２４として表側スリット２５と裏側スリット２６を形成するように、表側スリット２５と裏側スリット２６の端部２９を繋ぐ遮蔽板２７を備えたものであった。
【００６９】
本実施の形態では、図８に示すように、表側スリット２５は設けないようにしたものである。枠体２３は本体ケース２の内側では、隣り合った裏側スリット２６間は、遮蔽板２７が外側に向けて先細りになっていて先端が閉塞している。
【００７０】
また、枠体２３は、上部を水平方向に回転軸２８で軸支し、本体ケース２から外側に回動するようにしたものである。
【００７１】
このようにすることで、枠体２３厚み部分では、遮蔽板２７によって空気が流れ込む上流側は流路が開いていて下流側は流路を絞ることになる。裏側スリット２６は、本体ケース２内部に向かって先細りの形状となっているので、本体ケース２内に空気を入れやすく、本体ケース２内から外へ空気を吹き出しにくい。
【００７２】
一方、遮蔽板２７は、枠体２３の表側には、スリットがなく閉塞しているので、本体ケース２内から吹き出す空気は、遮蔽板２７によって集められ、枠体２３を外側へ押し出すこととなる。枠体２３は、回転軸２８によって軸支しているので、回転することで、本体ケース２との間に隙間を開けることとなる。このようにして、本体ケース２の外側へ空気を排出することができる。すなわち、除菌物質を加湿体へ通過させる場合には、吸気口３に設けた枠体２３が回動して本体ケース２から空気を吹き出すことになる。
【００７３】
このように、枠体２３部分での空気の流れ方向に応じて空気の通り道を分離することができる。これにより、除菌物質を加湿体へ通過させる場合にフィルタ２２が捕集した粉塵を噴出させてしまうことを防止することができる。
【００７４】
つまり、送風ファン１２を逆回転させて、排気口４から加湿体９、吸気口３へと空気を流したときに、フィルタ２２に捕集した塵埃を吹き飛ばすことなく、吸気口３から本体ケース２の外側へ空気を流すことが容易になるので、除菌物質が加湿体９を通過して、菌の繁殖を抑制して、次回運転開始時および運転中の臭気を抑制することができる。
【産業上の利用可能性】
【００７５】
以上のように本発明は、本体ケース内の加湿体から排気口までの送風通路に、除菌手段を設けるとともに、加湿運転停止移行時に、加湿運転時間が所定の時間を越えたことを判別する運転時間判定手段と、運転時間が所定の時間を越えたときに加湿体に前記除菌物質を通過させる除菌運転手段を備えた。このため、運転時間が所定の時間を越えたときに加湿体に前記除菌物質を通過させることで、加湿体での除菌が行われることになる。
【００７６】
これにより、運転開始時および運転中の臭気発生を抑制することができるのである。
【００７７】
したがって、加湿装置として活用される。
【符号の説明】
【００７８】
１    加湿装置
２    本体ケース
３    吸気口
４    排気口
５    操作部
６    表示部
７    水タンク
８    装着口
９    加湿体
１０  水皿
１１  水位センサ
１２  送風ファン
１３  風洞
１４  送風通路
１５  除菌手段
１６  制御部
１７  第一の運転モード
１８  第二の運転モード（清潔モード）
１９  積算タイマー
２０  運転時間判定手段
２１  除菌運転手段
２２  フィルタ
２３  枠体
２４  スリット
２５  表側スリット
２６  裏側スリット
２７  遮蔽板
２８  回転軸
２９  端部
【図１】
2015121390.tif 000003
【図２】
2015121390.tif 000004
【図３】
2015121390.tif 000005
【図４】
2015121390.tif 000006
【図５】
2015121390.tif 000007
【図６】
2015121390.tif 000008
【図７】
2015121390.tif 000009
【図８】
2015121390.tif 000010